(57)【要約】【課題】料金所の状態を遡って確認することを容易にする。【解決手段】料金所監視システムは、料金所の走行レーンを撮影した映像情報を時刻と対応づけてハードディスクに保存する映像保存部と、料金収受機の動作を示す動作情報を時刻とを対応づけるエントリからなる処理トラザクションリストを記憶する処理トラザクション記憶部を備える。処理トラザクションリストの中からエントリを指定すると、映像保存部において指定エントリに記録された動作時刻に対応する映像情報が表示される【選択図】図１
2008015809.tif 000002
【特許請求の範囲】
【請求項１】
料金所の走行レーンを撮影した映像情報を時刻と対応づけて保存する映像保存部と、
前記走行レーンの路側に設置される料金収受用の装置において所定の動作が実行されたことを示す動作情報を収集し、前記動作情報と前記所定の動作が実行されたときの時刻を示す動作時刻とを対応づけるエントリからなる処理トラザクションリストを記憶する処理トラザクション記憶部と、
前記処理トラザクションリストの中から前記エントリのうちの一つである指定エントリを指定するエントリ指定部と、
前記映像保存部において前記指定エントリに記録された前記動作時刻に対応する前記映像情報を抽出して表示する映像表示部
とを具備する
料金所監視システム。
【請求項２】
請求項１に記載された料金所監視システムであって、
前記動作情報には、前記料金収受用の装置を個別に特定する識別情報が含まれる
料金所監視システム。
【請求項３】
請求項１または２に記載された料金所監視システムであって、
更に、前記所定の動作に引き続く時間に前記走行レーンから車両が去った時刻を示す出口時刻を収集する出口時刻収集部
を具備し、
前記映像表示部は、前記映像情報による動画像を表示するとき、前記出口時刻に基づいて前記動画像の表示を停止する
料金所監視システム。
【請求項４】
請求項１から３のうちのいずれか１項に記載された料金所監視システムであって、
更に、対象車両が前記走行レーンに進入した時刻を示す進入時刻と前記対象車両が前記走行レーンから去った時刻を示す発進時刻との差を示すサービスタイム情報を収集するサービスタイム情報収集部と、
所定の期間における前記サービスタイム情報を集計して表示するサービスタイム集計部
とを具備する
料金所監視システム。
【請求項５】
請求項１から４のうちのいずれか１項に記載された料金所監視システムであって、
更に、前記所定の動作が実行されなかった時間帯の前記映像情報を、撮影された日時から所定の時間が経過したとき消去する映像消去部
を具備する
料金所監視システム。
【発明の詳細な説明】
【技術分野】
【０００１】
本発明は、有料道路の料金所におけるデータ処理に関する。
【背景技術】
【０００２】
有料道路の料金所は、走行レーンを撮影するためのカメラを備えている。そのカメラによって撮影された映像は、ビデオテープに記録されて保存される。料金所の管理者は、利用者からの問い合わせに応答する場合など、過去の料金所の状況を知る必要が生じたとき、ビデオテープを再生して映像を確認する。
【０００３】
特許文献１には、記録して残す画像とデータを、例えば障害発生時に限定して、その量を大幅に減少させる車輌監視装置が記載されている。
【特許文献１】特開２００５‐８５０９１号公報
【発明の開示】
【発明が解決しようとする課題】
【０００４】
本発明の目的は、料金所の状態を遡って確認することを容易にする料金所監視システムを提供することである。
【課題を解決するための手段】
【０００５】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００６】
本発明による料金所監視システムは、料金所の走行レーン（２）を撮影した映像情報を時刻と対応づけて保存する映像保存部（４２）と、走行レーン（２）の路側に設置される料金収受用の装置（８）において所定の動作が実行されたことを示す動作情報を収集し、動作情報（６６）と所定の動作が実行されたときの時刻を示す動作時刻（６４）とを対応づけるエントリからなる処理トラザクションリスト（４０）を記憶する処理トラザクション記憶部（４４）と、処理トラザクションリストの中からエントリのうちの一つである指定エントリを指定するエントリ指定部（４６）と、映像保存部（４２）において指定エントリに記録された動作時刻（６４）に対応する映像情報を抽出して表示する映像表示部（４８）とを含む。
【０００７】
本発明による料金所監視システムにおいて、動作情報には、料金収受用の装置を個別に特定する識別情報（６０）が含まれる。
【０００８】
本発明による料金所監視システムは、所定の動作に引き続く時間に走行レーン（２）から車両が去った時刻を示す出口時刻（７２）を収集する出口時刻収集部（５２）を含む。映像表示部（４８）は、映像情報による動画像を表示するとき、出口時刻（７２）に基づいて動画像の表示を停止する。
【０００９】
本発明による料金所監視システムは、対象車両が走行レーン（２）に進入した時刻を示す進入時刻（７０）と対象車両が走行レーンから去った時刻を示す発進時刻（７２）との差を示すサービスタイム情報を収集するサービスタイム情報収集部（５４）と、所定の期間におけるサービスタイム情報を集計して表示するサービスタイム集計部（５６）とを含む。
【００１０】
本発明による料金所監視システムは、所定の動作が実行されなかった時間帯の映像情報を、撮影された日時から所定の時間が経過したとき消去する映像消去部（５８）を含む。
【発明の効果】
【００１１】
本発明により、料金所の状態を遡って確認することを容易にする料金所監視システムが提供される。
【発明を実施するための最良の形態】
【００１２】
以下、図面を参照しながら本発明を実施するための最良の形態について説明する。図１は、本実施の形態における料金所監視システムが適用される有料道路の料金所を示す上面図である。図１において、車両が走行する方向は、矢印に示されている通り向かって右から左である。すなわち、右側が上流側（または進入側）、左側が下流側（または発進側）である。
【００１３】
料金所は、車両が走行する走行レーン２を備える。走行レーン２の上流側の路側には、進入検知機４が設置される。進入検知機４は、進入検知領域３における車両を検知して進入信号を生成する。走行レーン２の下流側の路側には、発進検知機６が設置される。発進検知機６は、発進検知領域５から車両が去ったことを検知して発進信号を生成する。
【００１４】
進入検知機４と発進検知機６との間の走行レーン２の路側に、料金自動収受機８が設置される。料金自動収受機８は、進入検知機４によって生成された進入信号と、発進検知機６によって生成された発進信号とを受信する。料金自動収受機８は、走行レーン２の車両の乗員からの操作に応答して自動的に有料道路の利用料金の精算を行う。
【００１５】
料金所には、ＩＴＶ（Ｉｎｄｕｓｔｒｉａｌ  Ｔｅｌｅｖｉｓｉｏｎ）カメラ１１が設置される。ＩＴＶカメラ１１は、料金自動収受機８とその近傍の走行レーン２を含む領域を撮影する。
【００１６】
料金所には、事務所１０が設置される。事務所１０には映像抽出装置１２が設置される。映像抽出装置１２は、料金自動収受機８とＩＴＶカメラ１１とに通信可能に接続される。
【００１７】
図２は、料金自動収受機８の構成を示す。料金自動収受機８は、通行券投入部１４、料金計算部１６、料金投入部１８、精算処理部２０、動作履歴記録部２２及び通信部２４を備える。料金自動収受機８はコンピュータを備え、記憶装置に記録されたプログラムを演算制御装置によって読み取って実行することにより、これらの各部の機能を実現する。
【００１８】
図３は、映像抽出装置１２の構成を示す。映像抽出装置１２は、演算制御装置２６、入力装置２８、出力装置３０、通信装置３２及び記憶装置３４を備えるコンピュータである。記憶装置３４は、ランダムアクセスが可能な大容量の記憶装置である。そのような記憶装置として、ハードディスクが好適に用いられる。記憶装置３４は、映像抽出プログラム３６、映像ライブラリ３８及び処理トラザクションリスト４０を格納する。
【００１９】
図４は、映像抽出プログラム３６の構成を示す。映像抽出プログラム３６は、映像保存部４２、処理トラザクション記憶部４４、エントリ指定部４６、映像表示部４８、入口時刻収集部５０、出口時刻収集部５２、サービスタイム情報収集部５４、サービスタイム集計部５６及び映像消去部５８を含む。
【００２０】
図５は、処理トラザクションリスト４０の構成を示す。処理トラザクションリスト４０には、料金所の複数の走行レーンにそれぞれ設置される料金自動収受機８を個別に特定するための走行レーン番号６０が登録される。各々の走行レーン番号６０に対応して、多数のエントリを含むテーブルが用意される。各々のエントリには、処理トラザクション６２と、車両ＩＤ６８と、入口時刻７０と、出口時刻７２とが対応づけて含まれる。処理トラザクション６２には、動作時刻６４と動作情報６６とが対応づけて含まれる。
【００２１】
図６のフローチャートを参照して、料金所監視システムの動作について説明する。以下の説明において、演算制御装置２６が記憶装置３４に格納されたプログラムを読み出し、そのプログラムに記述されている手順に従って行う動作は、説明の便宜上プログラム自身が行う動作として記載される。
【００２２】
ステップＳ２：ＩＴＶカメラ１１は、走行レーン２を常時継続的に撮影する。撮影された映像は映像抽出装置１２に送信される。
【００２３】
ステップＳ４：映像保存部４２は、受信した映像に対して、その映像が撮影された時刻をリアルタイムで示す時刻情報を対応づけた情報である撮影時刻付き映像情報を生成する。
【００２４】
ステップＳ６：車両が走行レーン２に進入すると、進入検知機４は車両を検知して車両進入検知信号を生成し、料金自動収受機８に送信する。料金自動収受機８は、車両進入検知信号を受信した時刻を入口時刻として記憶する。入口時刻は、年月日の情報も含む。
【００２５】
車両は走行レーン２に進入して料金自動収受機８の前で停車する。車両の乗員は、料金自動収受機８に対して、通行券の挿入、料金の投入などの操作を行う。動作履歴記録部２２は、実行した動作と時刻とを対応づけた履歴情報である処理トラザクション（ｔｒａｎｓａｃｔｉｏｎ）を記録する。処理トラザクションには、乗員により行われた動作や、料金の精算処理が正常に行われなかったことを示す情報が含まれる。精算処理部２０は、乗員から行われた動作に応答して料金の精算を行う。料金の精算のための処理が完了すると、走行レーン２の発進側の遮断機が開けられる。車両は走行レーン２の下流側に走行し、料金所から去る。
【００２６】
発進検知機６は、車両が去ったことを検知すると、車両発進検知信号を生成して料金自動収受機８に送信する。料金自動収受機８は、車両発進検知信号を受信した時刻を出口時刻として記憶する。出口時刻は、年月日の情報も含む。
【００２７】
料金自動収受機８は、走行レーン２を走行する車両を特定するための識別情報である車両ＩＤを発行する。料金自動収受機８は、その車両ＩＤによって特定される車両の入口時刻と出口時刻とを車両ＩＤに対応づけて記憶する。
【００２８】
映像抽出装置１２は、通信装置３２を介して料金自動収受機８から情報を取得する。  処理トラザクション記憶部４４は処理トラザクションを取得する。入口時刻収集部５０は入口時刻を取得する。出口時刻収集部５２は出口時刻を取得する。処理トラザクション、入口時刻及び出口時刻は、車両ＩＤに対応づけて取得される。
【００２９】
ステップＳ７：映像保存部４２は、撮影時刻付き映像情報を映像ライブラリ３８に保存する。映像ライブラリ３８には、ＩＴＶカメラ１１が設置されている走行レーン２を識別するための走行レーン番号が、そのＩＴＶカメラ１１によって撮影された撮影時刻付き映像情報と共に記録される。
【００３０】
処理トラザクション記憶部４４は、料金自動収受機８から受信した車両ＩＤ、入口時刻及び出口時刻を、それぞれ車両ＩＤ６８、入口時刻７０及び出口時刻７２として処理トラザクションリスト４０に登録する。処理トラザクション記憶部４４はさらに、料金自動収受機８から受信した処理トラザクションに含まれる動作時刻６４と動作情報６６を、それぞれ動作時刻６４及び動作情報６６として処理トラザクションリスト４０に登録する。
【００３１】
以上の処理により、料金所を走行する車両の映像が映像ライブラリ３８に蓄積され、料金自動収受機８の動作履歴を示す処理トラザクションが処理トラザクションリスト４０に蓄積される。
【００３２】
ステップＳ８：有料道路の管理者側の係員は、料金所で過去にイレギュラーな事態が発生したときや、料金所の運用状況を調べたいとき、過去の料金所の映像を調べるために、入力装置２８に対して、所定の入力操作を行う。エントリ指定部４６は、映像抽出装置１２を、入力を受け付けるプロンプトモードに設定する。係員は、走行レーンを指定する走行レーン番号と、開始日時と終了日時によって指定される指定期間を入力する。エントリ指定部４６は、処理トラザクションリスト４０から走行レーン番号６０が指定された番号に一致するテーブルを抽出し、そのテーブルから、動作時刻６４が指定期間に含まれるエントリ（動作時刻６４と動作情報６６との組）を抽出してそれらの一覧を出力装置３０により出力する。
【００３３】
ステップＳ１０：係員は、表示画面に表示されたエントリのリストを参照して、その中から映像を見たいエントリを指定する操作を入力装置２８に対して行う。エントリ指定部４６は指定されたエントリを記憶する。
【００３４】
ステップＳ１２：映像表示部４８は、指定されたエントリに含まれる出口時刻７２を処理トラザクションリスト４０から抽出する。映像表示部４８は、抽出された出口時刻７２に対応し、かつステップＳ８において指定された走行レーン番号に対応する映像を映像ライブラリ３８から検索する。
【００３５】
ステップＳ１４：映像表示部４８は、ステップＳ１２の条件を満たす映像がなかった場合はステップＳ１６に、あった場合はステップＳ１８に処理を移行する。
【００３６】
ステップＳ１６：検索の結果、条件を満たす映像がなかった場合、映像表示部４８は、その旨を示すエラー情報を出力する。
【００３７】
ステップＳ１８：映像表示部４８は、指定されたエントリに含まれる出口時刻７２を終了時刻とし、終了時刻よりも所定時間前（例えば２０秒前）を開始時刻として映像ライブラリ３８から映像を抽出し、表示画面に表示する。映像は、開始時刻から開始され、終了時刻において自動的に停止する。係員は、その映像を見ることによって、指定したエントリに対応する時期における料金所の様子を確認することができる。
【００３８】
映像消去部５８は、映像ライブラリ３８の中の古くなった不要な映像を消去する。例えば撮影から一ヶ月以上経ち、かつ処理トラザクションリスト４０を参照して所定の基準に基づき車両が走行していなかったと判断される時間帯の映像を消去する。これにより記憶装置３４の記憶容量が不足することが防がれる。
【００３９】
図７は、係員が料金所のサービスタイム（車両が進入してから発進するまでの時間など、サービスにかかる時間）を調べるときの映像抽出装置１２の動作を示す。
【００４０】
ステップＳ２０：係員は、サービスタイムを評価することを示す指令と、サービスタイムを評価する対象となる対象期間とを入力装置２８から入力する。
【００４１】
ステップＳ２２：サービスタイム情報収集部５４は、処理トラザクションリスト４０を検索して、動作時刻６４が対象期間に含まれるエントリを抽出する。サービスタイム情報収集部５４は、車両ごとに、抽出されたエントリに含まれる出口時刻７２と入口時刻７０との差をサービスタイムとして算出する。
【００４２】
サービスタイム収集部５４は、さらに以下のような各種サービスタイムを算出することができる。
車両が走行レーン２に進入してから通行券が投入されるまでの時間。入口時刻７２と、通行券が投入されたことを示す動作情報６６に対応する動作時刻６４との差から得られる。
通行券が投入されてから料金が支払われるまでの時間。通行券が投入されたことを示す動作情報６６に対応する動作時刻６４と、料金の支払いが終わったことを示す動作情報６６に対応する動作時刻６４との差から得られる。
料金が支払われてから車両が走行レーン２から退出するまでの時間。料金の支払いが終わったことを示す動作情報６６に対応する動作時刻６４と、出口時刻７２との差から得られる。
【００４３】
サービスタイム集計部５６は、走行レーン２ごとに、対象期間における各種サービスタイムを、平均値の算出、ヒストグラムの作成などの方法により集計処理する。サービスタイム集計部５６は、平均値を算出する際に、進入から発進までの時間が所定時間（例えば３０秒）を越えているデータは除外する。これにより、何らかのトラブルが発生したと思われる場合を除く、通常の処理が行われた場合のサービスタイムの平均が算出される。
【００４４】
サービスタイム集計部５６は、集計処理の結果をディスプレイに表示する。係員は、集計処理の結果を参照することにより、どの処理にどの程度の時間がかかっているのかの傾向を知ることができ、以後の料金所の運用に役立てることができる。
【図面の簡単な説明】
【００４５】
【図１】図１は、料金所を示す。
【図２】図２は、料金自動収受機を示す。
【図３】図３は、映像抽出装置を示す。
【図４】図４は、映像抽出プログラムを示す。
【図５】図５は、処理トラザクションリストを示す。
【図６】図６は、料金所監視システムの動作を示す。
【図７】図７は、サービスタイムを調べるときの動作を示す。
【符号の説明】
【００４６】
２…走行レーン
３…進入検知領域
４…進入検知機
５…発進検知領域
６…発進検知機
８…料金自動収受機
１０…事務所
１１…ＩＴＶカメラ
１２…映像抽出装置
【図１】
2008015809.tif 000003
【図２】
2008015809.tif 000004
【図３】
2008015809.tif 000005
【図４】
2008015809.tif 000006
【図５】
2008015809.tif 000007
【図６】
2008015809.tif 000008
【図７】
2008015809.tif 000009